(57)【要約】  画像表示装置（１０）は、前面に画像を表示する表示パネル（１０２）と、表示パネル（１０２）の背面に配置される導光板（１０３）と、導光板（１０３）を支持し、前方から導光板（１０３）を見た場合に、導光板（１０３）の側面から張り出す支持板（１０１）と、導光板（１０３）の入射面（１０３ａ）に入射させる光を出射するＬＥＤユニット（１５０）と、導光板（１０３）及びＬＥＤユニット（１５０）の側方から見た場合に、ＬＥＤユニット（１５０）と導光板（１０３）との間を覆い、かつ、表示パネル（１０２）と支持板（１０１）との間の隙間（Ｓ）を埋める遮光部材（１８２ａ）とを備える。
2019230515.tif 000002
【特許請求の範囲】
【請求項１】
前面に画像を表示する表示パネルと、
前記表示パネルの背面に配置される導光板と、
前記導光板を支持し、前方から前記導光板を見た場合に、前記導光板の側面から張り出す支持板と、
前記導光板の端面に入射させる光を出射する発光モジュールと、
前記導光板及び前記発光モジュールの側方から見た場合に、前記発光モジュールと前記導光板との間を覆い、かつ、前記表示パネルと前記支持板との間の隙間を埋める遮光部材とを備える
画像表示装置。
【請求項２】
前記遮光部材は、前記表示パネルと前記支持板との間の隙間を埋めるように、前記画像表示装置の側面に配置されている
請求項１に記載の画像表示装置。
【請求項３】
さらに、
前記導光板の周囲に配置される導電性部材と、
前記導光板の端面に光を入射させる姿勢で前記発光モジュールを支持する支持部材とを備え、
前記導電性部材は、前記導光板と前記支持部材とを直接的又は間接的に接続している
請求項１又は２に記載の画像表示装置。
【請求項４】
前方から前記画像表示装置を見た場合に、前記導電性部材及び前記遮光部材は、前記表示パネルに隠れている
請求項３に記載の画像表示装置。
【請求項５】
さらに、前記発光モジュールが出射する光が前方に出射する光を遮る姿勢で、前記支持部材に固定されるライトガイドパネルを備え、
前記遮光部材は、前記ライトガイドパネルと前記導光板との間を出射する光を遮っている
請求項４に記載の画像表示装置。
【発明の詳細な説明】
【技術分野】
【０００１】
本開示は、画像を表示する表示パネルを備える画像表示装置に関する。
【背景技術】
【０００２】
特許文献１は、発光モジュールが発した光が入射する導光板と、導光板を収容する皿状の収容体と、収容体の開口から放出される光によって照明される表示パネルとを備える画像表示装置を開示している。
【先行技術文献】
【特許文献】
【０００３】
【特許文献１】特開２０１８−４５１９７号公報
【発明の概要】
【発明が解決しようとする課題】
【０００４】
本開示は、画像表示装置の端縁からの光漏れを抑制することができる画像表示装置を提供する。
【課題を解決するための手段】
【０００５】
本開示における画像表示装置は、前面に画像を表示する表示パネルと、前記表示パネルの背面に配置される導光板と、前記導光板を支持し、前方から前記導光板を見た場合に、前記導光板の側面から張り出す支持板と、前記導光板の端面に入射させる光を出射する発光モジュールと、前記導光板及び前記発光モジュールの側方から見た場合に、前記発光モジュールと前記導光板との間を覆い、かつ、前記表示パネルと前記支持板との間の隙間を埋める遮光部材とを備える。
【発明の効果】
【０００６】
本開示によれば、画像表示装置の端縁からの光漏れを抑制することができる。
【図面の簡単な説明】
【０００７】
【図１】図１は、実施の形態に係る画像表示装置の正面側を示す斜視図である。
【図２】図２は、実施の形態に係る画像表示装置の背面側を示す斜視図である。
【図３】図３は、図１のＩＩＩ−ＩＩＩ線における画像表示装置の断面を示す断面図である。
【図４】図４は、実施の形態に係る画像表示装置の分解斜視図である。
【図５】図５は、図２のＶ−Ｖ線における画像表示装置の断面を示す断面図である。
【図６】図６は、実施の形態に係り、遮光部材を配置する前の状態の表示ユニットを示す斜視図、及び遮光部材を配置する前の状態の表示ユニットの一部分を拡大した部分拡大斜視図である。
【図７】図７は、遮光部材を配置する前の表示ユニットの側面を示す図である。
【発明を実施するための形態】
【０００８】
本願発明者らは、従来の画像表示装置に関し、以下の問題が生じることを見出した。従来、液晶テレビジョン受像機等の画像表示装置では、例えば液晶パネルである表示パネルの外周を覆うベゼルが備えられている。画像表示装置が備えるベゼルとしては、例えば特許文献１における側板及びカバーのように、矩形環状に配置される。
【０００９】
しかしながら、近年では、画像表示装置に対して薄型化が求められており、本願発明者らは、その要求に応えるために、表示パネルの周囲を囲む枠部材を持たない画像表示装置の構造についての検討を進めた。
【００１０】
具体的には、画像表示装置に表示パネルの周囲を囲む枠部材を配置しない場合、表示パネルを外周から支えることができないため、例えば、表示パネルを背面側から支持する構造が採用される。つまり、表示パネルの背面側に例えば金属板を配置することで表示ユニットを構成し、その金属板に、例えばスタンドを直接的又は間接的にネジで固定する。つまり、表示ユニットの背面を形成する金属板に、スタンドが複数のネジで締結される。これにより、表示パネルの周囲が枠で囲まれていない構造の画像表示装置が実現される。
【００１１】
この画像表示装置の組み立てにおいて、導光板と表示パネルとを粘着テープを用いて貼り合わせる際に、通常、予め所定の長さに切断した粘着テープを用意しておき、粘着テープを導光板に貼り付ける際に導光板を冶具で固定した状態にしてからこの粘着テープを貼り付ける。この際、粘着テープの一方端側を導光板に固定しながら導光板の側面に沿って貼り付けるが、貼り合わせのズレによって、粘着テープの他方端側で長さが足りなくなったりずれたりすることがある。このずれにより隙間が形成されてしまい、発光モジュールの光源が発した光が、画像表示装置の端縁から漏れてしまうことがある。表示パネルの端縁から光漏れが発生しないように、粘着テープを導光板の端縁に精度よく貼り付けることは困難であり、画像表示装置の端縁からの光漏れを抑制し難い。
【００１２】
そこで本開示は、このような知見に基づいてなされたものであり、画像表示装置の端縁からの光漏れを抑制することができる画像表示装置を提供する。
【００１３】
以下、適宜図面を参照しながら、実施の形態を説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、本願発明者らは、当業者が本開示を十分に理解するために添付図面及び以下の説明を提供するのであって、これらによって請求の範囲に記載の主題を限定することを意図するものではない。
【００１５】
また、以下の実施の形態において、説明の便宜上、上下方向をＹ軸方向と一致させ、前後方向をＺ軸方向と一致させ、左右方向（横方向）をＸ軸方向と一致させているが、これら対応付けは、本開示に係る画像表示装置の製造時又は使用時における姿勢を限定するものではない。また、以下の説明において、例えば、Ｘ軸プラス側とは、Ｘ軸の矢印方向側を示し、Ｘ軸マイナス側とは、Ｘ軸プラス側とは反対側を示す。Ｙ軸方向及びＺ軸方向についても同様である。
【００１６】
以下、本開示の実施の形態に係る画像表示装置について説明する。
【００１７】
（実施の形態）
［画像表示装置の全体構成］
図１は、実施の形態に係る画像表示装置１０の正面側を示す斜視図である。
【００１８】
図１に示すように、画像表示装置１０は、例えばフラットパネルディスプレイ型の液晶テレビジョン受像機である。画像表示装置１０は、表示ユニット１００と、表示ユニット１００を支持するスタンド２００とを備えている。
【００１９】
表示ユニット１００は、前面（Ｚ軸プラス側の面）に画像を表示する表示パネル１０２と、表示パネル１０２に光を出射する導光板１０３と、表示パネル１０２の背面側（Ｚ軸マイナス側）に配置された、後述する導光板１０３を介して表示パネル１０２を支持する支持板１０１とを有する。
【００２０】
図２は、実施の形態に係る画像表示装置１０の背面側を示す斜視図である。表示ユニット１００の背面側には、図２に示すように、例えば樹脂成型品であるバックカバー１９０が配置されている。バックカバー１９０は、支持板１０１の背面の一部のみを覆い、他の部分を露出させている。なお、バックカバー１９０は本体及び蓋板等の複数の部材で構成されているが、本実施の形態では、これら複数の部材群をバックカバー１９０として扱う。
【００２１】
本実施の形態では、表示ユニット１００が備える表示パネル１０２は、液晶セルであり、光学シートユニット１０５を透過した光によって、前面に画像を表示する。表示ユニット１００は、図３に示すように、表示パネル１０２と支持板１０１との間に、光学シートユニット１０５、導光板１０３、及び反射板１０４を有している。図３は、図１のＩＩＩ−ＩＩＩ線における実施の形態に係る表示ユニット１００の構成概要を示す側面図である。図３では、バックカバー１９０と、スタンド２００とを省略している。
【００２２】
図示は省略するが、表示パネル１０２と導光板１０３とを後方から見た場合に、表示パネル１０２は、導光板１０３の右側側面、上側側面及び左側側面から張り出している。
【００２３】
また、表示パネル１０２、光学シートユニット１０５、導光板１０３、及び反射板１０４は、周縁部に配置された粘着テープ１６１ｂ等によって一体的な構造物として構成され、この構造物は、支持板１０１に固定されている。つまり、表示パネル１０２、光学シートユニット１０５、導光板１０３、反射板１０４、及び、支持板１０１のこの順で重ねられた表示ユニット１００は、画像表示装置１０の組み立て工程において、１つの構造物として扱われる。なお、粘着テープ１６１ｂの代わりに接着剤等を用いてもよい。
【００２４】
光学シートユニット１０５は、光を拡散及び集光する機能を備えた、透光性を有する部材である。光学シートユニット１０５は、表示パネル１０２の背面に配置されている。光学シートユニット１０５は、導光板１０３から出射した光が背面から入射され、入射された光を拡散及び集光して表示パネル１０２に入射させる。光学シートユニット１０５は、表示パネル１０２の背面に、ラミネート加工により直接的に積層されている。光学シートユニット１０５は、拡散シート又は集光シート等の光学シートを１以上有している。
【００２５】
導光板１０３は、ＬＥＤユニット１５０から出射した光が入射面１０３ａから入射し、この光を導光させて、導光板１０３の前面側から表示パネル１０２に向けて光を出射する。導光板１０３が出射した光は、光学シートユニット１０５の背面に向けて出射される。入射面１０３ａは、端面の一例である。
【００２６】
図１、図３及び図４に示すように、導光板１０３には、ＬＥＤユニット１５０を出射した光が入射する入射面１０３ａを除いた３辺に、遮光テープ１７２がそれぞれ貼り付けられている。図４は、実施の形態に係る画像表示装置１０の分解斜視図である。
【００２７】
具体的には、遮光テープ１７２は、導光板１０３の端縁における前面、側面及び背面の三箇所に跨って貼り付けられている。遮光テープ１７２は、導光板１０３を導光する光が、導光板１０３の端面から出射されることを抑制している。遮光テープ１７２は、例えば光の出射を抑制する機能を有するだけでなく、光を反射する機能を有していてもよい。また、遮光テープ１７２は、導電性の機能を有していてもよい。
【００２８】
導光板１０３は、透光性を有する部材である。導光板１０３は、粘着テープ１６１ａによって光学シートユニット１０５の背面に固定される。この粘着テープ１６１ａは、遮光テープ１７２に重ねた状態で、遮光テープ１７２の前方側に貼り付けられている。なお、粘着テープ１６１ａの代わりに接着剤等を用いてもよい。導光板１０３には、背面の上端縁、左端縁及び右端縁の３辺に粘着テープが貼り付けられることによって、導光板１０３が支持板１０１に固定されている。
【００２９】
支持板１０１は、強化ガラスなどのガラス板である。支持板１０１の前面には、粘着テープ１６１ｂを介して導光板１０３が固定されている。支持板１０１の背面には、複数の取付部材１１０が接着されている。この粘着テープ１６１ｂは、導光板１０３の遮光テープ１７２と重なる状態で、遮光テープ１７２の後方側に貼り付けられている。
【００３０】
支持板１０１は、導光板１０３を支持し、前方から導光板１０３を見た場合に、導光板１０３の側面から張り出している。つまり、支持板１０１の前面の面積は、導光板１０３の前面の面積よりも大きい。
【００３１】
上述したように、表示パネル１０２、導光板１０３及び支持板１０１の関係から、図５に示すように、表示パネル１０２と支持板１０１との間であって、隙間Ｓが導光板１０３の周囲に形成される。図５は、図２のＶ−Ｖ線における画像表示装置１０の断面を示す断面図である。
【００３２】
図３に示すように、反射板１０４は、光を反射する鏡等である。反射板１０４は、支持板１０１の前面に固定されている。つまり、反射板１０４は、支持板１０１と導光板１０３との間に配置され、導光板１０３の背面から出射した光を導光板１０３に戻す役割を果たしている。
【００３３】
図３及び図４に示すように、導光板１０３の入射面１０３ａに対向する位置には、導光板１０３の入射面１０３ａに入射させる光を出射するＬＥＤ（ｌｉｇｈｔ  ｅｍｉｔｔｉｎｇ  ｄｉｏｄｅ）ユニット１５０が配置されている。ＬＥＤユニット１５０は、ＬＥＤユニット１５０から発せられた光が、導光板１０３の入射面１０３ａから導光板１０３の内部に入射し、導光板１０３の前面に配置された光学シートユニット１０５を介して表示パネル１０２に入射する。光学シートユニット１０５は、拡散シート又は集光シート等の光学シートを１以上有している。つまり、本実施の形態では、エッジライト方式のバックライトによって、液晶セルである表示パネル１０２に、画像表示のための光が供給される。ＬＥＤユニット１５０は、発光モジュールの一例である。
【００３４】
ＬＥＤユニット１５０は、導光板１０３の入射面１０３ａに沿った長尺状の基板１５２と、長尺状の基板１５２の上面において並んで配置された複数のＬＥＤ素子１５１とを有する。なお、ＬＥＤユニット１５０では、一枚の基板１５２に複数のＬＥＤ素子１５１が配置されているが、ＬＥＤユニット１５０は、導光板１０３の入射面１０３ａに沿って並んで配置された、それぞれが１以上のＬＥＤ素子１５１を有する複数枚の基板で構成されてもよい。つまり、ＬＥＤユニット１５０は、互いに別体の複数のＬＥＤモジュールによって構成されてもよい。
【００３５】
また、本実施の形態では、ＬＥＤユニット１５０は、下方から光源支持部材１５５によって支持されている。光源支持部材１５５は、例えばアルミニウム等の金属製の部材であり、ＬＥＤユニット１５０から発せられる熱を放出するための放熱部材（ヒートシンク）としても機能する。光源支持部材１５５は、支持部材の一例である。
【００３６】
光源支持部材１５５の下端縁には、ＬＥＤユニット１５０が出射する光が前方に出射する光を遮る姿勢で、光源支持部材１５５にライトガイドパネル１５３が固定されている。ライトガイドパネル１５３は、金属製の金具であり、Ｘ軸方向の長尺なＬ字型のパネルである。ライトガイドパネル１５３の一面が導光板１０３側の下端縁と接触し、ライトガイドパネル１５３の他の一面が光源支持部材１５５の下端縁に配置され、ビスなどの固定部材により固定されている。
【００３７】
表示ユニット１００は、導光板１０３の周囲に配置した導電性部材１８１ａ及び遮光部材１８２ａをさらに備える。
【００３８】
導電性部材１８１ａは、長尺なテープ状又はシート状の部材であり、本実施の形態では０．２ｍｍ程度の厚みである。本実施の形態では、導電性部材１８１ａは、黒色であり、ポリエチレンテレフタラート等の部材である。導電性部材１８１ａは、表示パネル１０２と支持板１０１との間の隙間Ｓを埋めるように、導光板１０３の周囲に配置されている。導電性部材１８１ａは、具体的には表示ユニット１００の下側端縁を除いて、表示ユニット１００を構成する導光板１０３の３辺に配置されている。つまり、導電性部材１８１ａは、表示ユニット１００の左側面、上側面及び右側面を覆っている。これにより、導光板１０３等を覆い隠すことができるため、画像表示装置１０の美観が損なわれ難くなる。
【００３９】
導電性部材１８１ａは、導光板１０３と光源支持部材１５５とを直接的又は間接的に電気的に接続している。これにより、導電性部材１８１ａは、導光板１０３に生じた静電気を直接的又は間接的に光源支持部材１５５に放電させる。ここで、光源支持部材１５５が導光板１０３と直接的又は間接的に電気的に接続とは、光源支持部材１５５と導光板１０３とが直接に電気的に接続しているだけでなく、ビスなどの金属製の部材を介して光源支持部材１５５が導光板１０３に間接的に電気的に接続していることをも含む意味である。本実施の形態では、導電性部材１８１ａは、ライトガイドパネル１５３まで貼り付けられており、ライトガイドパネル１５３が間接的に導光板１０３の静電気を放電させる。
【００４０】
遮光部材１８２ａは、長尺なテープ状又はシート状の部材であり、本実施の形態では０．２ｍｍ程度の厚みである。本実施の形態では、遮光部材１８２ａは、黒色であり、ポリエチレンテレフタラート等の部材である。遮光部材１８２ａの短手方向の幅は、導電性部材１８１ａの短手方向の幅と同等であり、隙間Ｓの幅とも同等である。
【００４１】
遮光部材１８２ａは、導電性部材１８１ａの内周側又は外周側に配置される。本実施の形態では、遮光部材１８２ａは、導電性部材１８１ａの外周側に配置されている。遮光部材１８２ａは、ＬＥＤユニット１５０と導光板１０３との間を覆い、かつ、表示パネル１０２と支持板１０１との間の隙間Ｓを埋めている。これにより、遮光部材１８２ａは、後述する図７で示すように、導光板１０３及びＬＥＤユニット１５０を側方から見た場合に、ＬＥＤユニット１５０と導光板１０３との間を通過する光が外部に出射されないように遮光する。
【００４２】
また、遮光部材１８２ａは、導光板１０３とＬＥＤユニット１５０との間を通過する光を遮るように配置されている。具体的には、遮光部材１８２ａは、表示ユニット１００を側方から見て導電性部材１８１ａと重なり、導光板１０３と光源支持部材１５５との間、本実施の形態では導光板１０３と光源支持部材１５５との間を塞ぐ状態で、導光板１０３の下端縁からさらに光源支持部材１５５まで延び、その先端部分が光源支持部材１５５と接触している。
【００４３】
このように、導光板１０３とＬＥＤユニット１５０又は光源支持部材１５５との間、かつ、導光板１０３と表示パネル１０２との間から出射する光を遮光部材１８２ａが遮っているため、表示ユニット１００の外側に光が出射しない。この表示ユニット１００では、光漏れが生じていない。
【００４４】
また、画像表示装置１０を見た場合に、図５に示すように、導電性部材１８１ａ及び遮光部材１８２ａは、表示パネル１０２に隠れている、つまり仮想線Ｖよりも左側に飛び出ていない。また、図示は省略するが画像表示装置１０の右側においても導電性部材１８１ａ及び遮光部材１８２ａは、表示パネル１０２に隠れている、つまり仮想線Ｖよりも右側に飛び出ていない。このため、導電性部材１８１ａ又は遮光部材１８２ａが表示パネル１０２から出っ張ることもないため、画像表示装置１０の外観性を損ね難い。ここでいう仮想線Ｖは、表示パネル１０２の端縁を通過する、Ｚ軸方向に平行な直線である。
【００４５】
また、本実施の形態では、図１及び図３に示すように、画像表示装置１０には、表示パネル１０２の前面の下端部を覆うベゼル１４０が備えられている。より詳細には、ベゼル１４０は、表示パネル１０２の前面の下端縁を覆う部分と、光源支持部材１５５の下方に配置される部分とを有している。これらベゼル１４０及び光源支持部材１５５は、後述するベースプレート１２０と直接的又は間接的に接続されることで、画像表示装置１０において固定されている。
【００４６】
図２に示すように、スタンド２００は、画像表示装置１０を自立させる脚部であり、平板状のスタンドベース２０１と、スタンドベース２０１から立設されたネック部２０４とを有する。ネック部２０４は、表示ユニット１００と機械的に接続されており、これにより、スタンド２００が表示ユニット１００に固定される。なお、本実施の形態では、画像表示装置１０を設置するための部材としてスタンド２００を例示したが、画像表示装置１０は、スタンド２００に換えて、例えば、画像表示装置１０を壁面に設置するための壁掛ユニットを備えてもよい。
【００４７】
このような画像表示装置１０において、例えば、図６及び図７に示すように、遮光部材１８２ａを配置する前の状態の表示ユニット１００の一部分を拡大した部分拡大斜視図では、隙間Ｔが形成されてしまうことで、ＬＥＤユニット１５０を出射した光が隙間Ｔから漏れてしまう。図６は、実施の形態に係り、遮光部材１８２ａを配置する前の状態の表示ユニット１００を示す斜視図、及び遮光部材１８２ａを配置する前の状態の表示ユニット１００の一部分を拡大した部分拡大斜視図である。図６では、表示パネル１０２を省略し、遮光部材１８２ａを２点鎖線で示している。図７は、遮光部材１８２ａを配置する前の表示ユニット１００の側面を示す図である。
【００４８】
画像表示装置１０を側方から見た場合に、ＬＥＤユニット１５０と導光板１０３との間、かつ、表示パネル１０２と支持板１０１との間から出射した光が隙間Ｔから出射する。本実施の形態では、少なくともライトガイドパネル１５３、光源支持部材１５５及び粘着テープ１６１ａで囲まれる隙間Ｔから光が出射する。
【００４９】
図７に示すように、さらに、遮光部材１８２ａは、隙間Ｓを埋め、かつ、表示パネル１０２と支持板１０１との間に配置されることで、隙間Ｔを塞ぐ。このため、ＬＥＤユニット１５０を出射した光が遮光部材１８２ａによって遮光されることで、画像表示装置１０の光漏れを抑制することができる。
【００５０】
また、この画像表示装置１０において、表示ユニット１００の背面を形成する支持板１０１はガラス板であり、図２に示すように、表示ユニット１００を背面側から見た場合、支持板１０１の上縁側及び左右の端縁側が、バックカバー１９０から露出した状態となっている。したがって、画像表示装置１０を見た場合、画像を表示する部分の周縁部が薄く認識され、かつ、背面側にガラス特有の光沢感が生じる。つまり、画像表示装置１０の薄型化が図られ、かつ、画像表示装置１０に美観を生じさせることができる。
【００５１】
しかしながら、ガラス板である支持板１０１に、ベースプレート１２０を固定するためのネジ孔を形成することは困難である。そこで、本実施の形態に係る画像表示装置１０では、図３に示すように、支持板１０１の背面１０１ａに複数の取付部材１１０を接着し、取付部材１１０を介してベースプレート１２０を支持板１０１に固定する手法が採用されている。
【００５２】
［効果等］
以上説明したように、本実施の形態に係る画像表示装置１０は、前面に画像を表示する表示パネル１０２と、表示パネル１０２の背面に配置される導光板１０３と、導光板１０３を支持し、前方から導光板１０３を見た場合に、導光板１０３の側面から張り出す支持板１０１と、導光板１０３の入射面１０３ａに入射させる光を出射するＬＥＤユニット１５０と、導光板１０３及びＬＥＤユニット１５０の側方から見た場合に、ＬＥＤユニット１５０と導光板１０３との間を覆い、かつ、表示パネル１０２と支持板１０１との間の隙間Ｓを埋める遮光部材１８２ａとを備える。
【００５３】
上述したように、図６及び図７で示すように、導光板１０３とＬＥＤユニット１５０との間、導光板１０３と表示パネル１０２との間に隙間Ｔが生じてしまうことがある。このため、画像表示装置１０を側面から見た場合に、導光板１０３とＬＥＤユニット１５０との間の隙間Ｔから光が出射することによって、光漏れが発生する。本実施の形態では、例えばベゼルを表示ユニット１００の下端側に配置することで光漏れが抑制されているが、ベゼル内面で反射した光がベゼル１４０と表示ユニット１００との隙間等から漏れてしまう。
【００５４】
しかしながら、遮光部材１８２ａは、ＬＥＤユニット１５０と導光板１０３との間を覆い、かつ、表示パネル１０２と支持板１０１との間の隙間Ｓを埋めているため、導光板１０３とＬＥＤユニット１５０との間を通過する光が外部に出射されないように遮っている。これにより、表示パネル１０２と導光板１０３とを貼り合わせた際に、ＬＥＤユニット１５０と導光板１０との間に隙間Ｔが形成されたとしても、遮光部材１８２ａは、隙間Ｔを通過する光を遮光することができる。
【００５５】
したがって、この画像表示装置１０では、画像表示装置１０の端縁からの光漏れを抑制することができる。このため、画像表示装置１０から出射した光によって、人に違和感を与えることもないため、使用時における画像表示装置１０の美観を損ねることもない。
【００５６】
特に、遮光部材１８２ａを導光板１０の周囲に配置するため、画像表示装置１０の外観が損なわれ難い。
【００５７】
また、本実施の形態に係る画像表示装置１０において、遮光部材１８２ａは、表示パネル１０２と支持板１０１との間の隙間Ｓを埋めるように、画像表示装置１０の側面（左側面、上側面及び右側面）に配置されている。
【００５８】
この構成によれば、表示パネル１０２の端縁に導光板１０３に向かう力が加わったとしても、表示パネル１０２と支持板１０１との間の隙間Ｓを埋めた遮光部材１８２ａが、表示パネル１０２を後側から支持することができる。このため、表示パネル１０２の端縁に過度の力が加わった場合でも、表示パネル１０２の破損を抑制することができる。
【００５９】
また、本実施の形態に係る画像表示装置１０は、さらに、導光板１０３の周囲に配置される導電性部材１８１ａと、導光板１０３の入射面１０３ａに光を入射させる姿勢でＬＥＤユニット１５０を支持する光源支持部材１５５とを備える。そして、導電性部材１８１ａは、導光板１０３と光源支持部材１５５とを接続している。
【００６０】
画像表示装置１０を使用すると、導光板１０３が帯電して静電気が蓄積するが、この構成によれば、導電性部材１８１ａは、導光板１０３に帯電している静電気を光源支持部材１５５に放電させることができる。このため、静電気放電による導光板１０３の破壊を抑制することができる。
【００６１】
また、本実施の形態に係る画像表示装置１０において、前方から画像表示装置１０を見た場合に、導電性部材１８１ａ及び遮光部材１８２ａは、表示パネル１０２に隠れている。
【００６２】
この構成によれば、前面から画像表示装置１０を見た場合に、導電性部材１８１ａ及び遮光部材１８２ａが表示パネル１０２からはみ出しておらず、表示パネル１０２と表示パネル１０２等を支持する支持板１０１とが見えるだけとなる。このため、画像表示装置１０の端縁側を正面から見た場合に、表示パネル１０２と支持板１０１との境界近傍で、導電性部材１８１ａ及び遮光部材１８２ａが見えなくなるため、人は、画像表示装置１０をより簡素な構成として認識することができる。その結果、画像表示装置１０の美観を損ね難くなる。
【００６３】
また、本実施の形態に係る画像表示装置１０において、さらに、ＬＥＤユニット１５０が出射する光が前方に出射する光を遮る姿勢で、光源支持部材１５５に固定されるライトガイドパネル１５３を備える。そして、遮光部材１８２ａは、ライトガイドパネル１５３と導光板１０３との間を出射する光を遮っている。
【００６４】
これによれば、遮光部材１８２ａは、ライトガイドパネル１５３と導光板１０３との間を出射する光を遮ることで、より確実に、画像表示装置１０の端縁からの光漏れを抑制することができる。
【００６５】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。そこで、以下、他の実施の形態を例示する。
【００６６】
本開示の画像表示装置１０において、遮光部材１８２ａは、表示ユニット１００の左右２辺に配置されているが、さらに表示ユニット１００の上方に配置されていてもよい。この場合に、１本の遮光部材１８２ａを導光板１０３の３つの端縁に貼り付けてもよい。また、本実施の形態では、遮光部材１８２ａは、表示ユニット１００の左右２辺の長さと同等の長さであるが、隙間を覆うことができるのであればよく、表示ユニット１００の左右２辺の長さと同等の長さにする必要はない。
【００６７】
また、本開示の画像表示装置１０において、本実施の形態では、３本の遮光テープ１７２を導光板１０３の３つの端縁に一対一で貼り付けているが、１本の遮光テープ１７２を導光板１０３の３つの端縁に貼り付けてもよい。
【００６８】
また、本開示の画像表示装置１０において、本実施の形態では、１本の導電性部材１８１ａによって導光板１０３の３つの端縁に貼り付けてもよく、導電性部材１８１ａをそれぞれ導光板１０３の３辺に配置してもよい。
【００６９】
また、本開示の画像表示装置１０において、導光板１０３の入射面１０３ａと支持板１０１との間に、ＬＥＤユニット１５０の発した光が支持板１０１に入射しないように光を遮る遮光性の部材を配置してもよい。この場合、遮光性の部材は、ＬＥＤユニット１５０の発した光の一部がガラス板である支持板１０１を導光して、支持板１０１の下端のエッジが光るといった、光漏れを抑制することができる。
【００７０】
以上のように、本開示における技術の例示として、実施の形態を説明した。そのために、添付図面及び詳細な説明を提供した。
【００７１】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７２】
また、上述の実施の形態は、本開示における技術を例示するためのものであるから、請求の範囲又はその均等の範囲において種々の変更、置き換え、付加、省略などを行うことができる。
【産業上の利用可能性】
【００７３】
本開示は、画像を表示するための画像表示装置に適用可能である。具体的には、テレビジョン受像機、モニタディスプレイ、及びデジタルサイネージなどに、本開示は適用可能である。
【符号の説明】
【００７４】
１０  画像表示装置
１０１  支持板
１０２  表示パネル
１０３  導光板
１０３ａ  入射面（端面）
１５０  ＬＥＤユニット（発光モジュール）
１５３  ライトガイドパネル
１５５  光源支持部材（支持部材）
１８１ａ  導電性部材
１８２ａ  遮光部材
【図１】
2019230515.tif 000003
【図２】
2019230515.tif 000004
【図３】
2019230515.tif 000005
【図４】
2019230515.tif 000006
【図５】
2019230515.tif 000007
【図６】
2019230515.tif 000008
【図７】
2019230515.tif 000009
【国際調査報告】
2019230515.tif 000010
2019230515.tif 000011
2019230515.tif 000012
2019230515.tif 000013